(57)【要約】【課題】  一対のキャビネットをヒンジ機構を介して互いに開閉可能に連結して構成される折り畳み式携帯端末機において、キャビネットの開閉時に発生するクリック音の発生をユーザが意図的に抑制することを可能とする。【解決手段】  本発明に係る折り畳み式携帯端末機おいて、ヒンジ機構３を構成するヒンジアセンブリ30は、一対の回転体31、32を相対回転可能に連結して構成され、第１回転体31は本体キャビネット１の第１駒部13に対して回転軸方向への相対移動が可能に係合する一方、第２回転体32は蓋体キャビネット２の第１駒部23に対して回転軸方向への相対移動が不能に係合している。ヒンジ機構３には、ユーザによる前記回転軸方向の押圧操作が可能なヒンジカバー41が配備されると共に、該ヒンジカバー41に対するユーザの押圧操作力を第１回転体31に伝えて第１回転体31を第２回転体32に圧接させる操作力伝達機構が配備されている。【選択図】      図４
2005061470.tif 000002
【特許請求の範囲】
【請求項１】
本体キャビネット(１)と蓋体キャビネット(２)をヒンジ機構(３)を介して互いに開閉可能に連結して構成され、該ヒンジ機構(３)は、両キャビネット(１)(２)の端部に突設されて同軸上に並ぶ第１及び第２の駒部(13)(23)と、両駒部(13)(23)を貫通して配備されたヒンジアセンブリ(30)とを具え、該ヒンジアセンブリ(30)は、同軸上に互いに相対回転可能に配備された第１回転体(31)と第２回転体(32)を具え、第１回転体(31)は第１駒部(13)に対して相対回転不能に係合する一方、第２回転体(32)は第２駒部(23)に対して相対回転不能に係合し、該ヒンジアセンブリ(30)には、両回転体(31)(32)の相対回転に伴って２つの面を互いに衝突させてクリック音を発生させるクリック音発生機構が内蔵されている折り畳み式携帯端末機において、
前記ヒンジ機構(３)を構成するヒンジアセンブリ(30)の第１回転体(31)は第１駒部(13)に対して回転軸方向への相対移動が可能に係合する一方、第２回転体(32)は第２駒部(23)に対して回転軸方向への相対移動が不能に係合し、ヒンジ機構(３)には、ユーザによる操作が可能な操作部が設けられると共に、該操作部に対するユーザの操作力を第１回転体(31)に伝えて第１回転体(31)を第２回転体(32)に圧接させるための操作力伝達機構が設けられていることを特徴とする折り畳み式携帯端末機。
【請求項２】
前記操作部は、第１回転体(31)の第２回転体(32)とは反対側の端部を覆うヒンジカバー(41)によって形成され、該ヒンジカバー(41)は、ヒンジ機構(３)の回転軸に沿って往復移動自由に配備され、前記操作力伝達機構は、ヒンジカバー(41)の背面を第１回転体(31)に連結して構成され、ヒンジカバー(41)に対する前記回転軸方向の押圧操作力を第１回転体(31)に伝えるものである請求項１に記載の折り畳み式携帯端末機。
【請求項３】
前記操作部は、第１回転体(31)の第２回転体(32)とは反対側の端部を覆うヒンジカバー(43)によって形成され、該ヒンジカバー(43)は、ヒンジ機構(３)の回転軸と同軸上にて回転自由に配備され、前記操作力伝達機構は、前記回転軸を中心軸としてヒンジカバー(43)に形成された外ネジ(44)と、前記第１の駒部(13)に形成されて前記外ネジ(44)に螺合する内ネジ(101)とを具え、ヒンジカバー(43)の回転操作に伴うネジ推力を第１回転体(31)に伝えるものである請求項１に記載の折り畳み式携帯端末機。
【請求項４】
前記操作部は、第１回転体(31)の第２回転体(32)とは反対側の端部を覆うヒンジカバー(45)によって形成され、該ヒンジカバー(45)は、ヒンジ機構(３)の回転軸と交差する方向へスライド自由に配備され、前記操作力伝達機構は、前記ヒンジカバー(45)の裏面に形成されたカム面(411)と、前記回転軸に沿って往復移動自由に配備されて前記カム面(411)に摺接するカムフォロワー(410)とを具え、ヒンジカバー(45)のカム面(411)は、ヒンジカバー(45)のスライド操作に伴ってカムフォロワー(410)を第１回転体(31)に対して接近離間させるカム曲線を有し、該カムフォロワー(410)の駆動力が第１回転体(31)に伝えられる請求項１に記載の折り畳み式携帯端末機。
【請求項５】
ヒンジ機構(３)には、前記操作部に対するユーザの操作力を受けてオンとなるスイッチ(６)が配備され、該スイッチ(６)は、両キャビネット(１)(２)の開き動作に連動して電子音を発するための電子音発生回路に接続され、該スイッチ(６)のオンによって電子音発生回路の電子音発生動作が強制的に停止される請求項１乃至請求項４の何れか記載の折り畳み式携帯端末機。
【請求項６】
クリック音発生機構は、何れか一方の回転体に対して回転軸に沿う往復移動が可能であって且つ相対回転が不能に配備された中間部材(38)と、該中間部材(38)を他方の回転体に向けて付勢するバネ(37)とを具え、中間部材(38)と該他方の回転体との対向面には、両キャビネット(１)(２)の開閉に伴って互いの噛み合い位置がずれることとなる凹凸面が形成されており、噛み合い位置のずれに伴う両対向面の衝突によってクリック音が発生する請求項１乃至請求項５の何れかに記載の折り畳み式携帯端末機。
【発明の詳細な説明】
【技術分野】
【０００１】
本発明は、折り畳み式携帯電話機の如く、一対の扁平なキャビネットをヒンジ機構を介して互いに開閉可能に連結して構成される折り畳み式携帯端末機に関するものである。
【背景技術】
【０００２】
従来、折り畳み式携帯電話機は、本体キャビネットと蓋体キャビネットをヒンジ機構を介して互いに開閉可能に連結して構成されている(例えば特許文献１〜３参照)。
図１１に示す折り畳み式携帯電話機においては、本体キャビネット(１)と蓋体キャビネット(２)の連結部に、左右一対のヒンジ機構(３)(３′)が配備されており、両ヒンジ機構(３)(３′)の回転軸を中心として蓋体キャビネット(２)を開閉することが可能である。左側のヒンジ機構(３)は、本体キャビネット(１)に突設した第１駒部(13)と蓋体キャビネット(２)に突設した第２駒部(23)とを同軸上に配置して、両駒部(13)(23)の中央孔へヒンジアセンブリ(30)を嵌入せしめて構成されている。右側のヒンジ機構(３′)も同様に、本体キャビネット(１)に突設した第３駒部(14)と蓋体キャビネット(２)に突設した第４駒部(24)とを同軸上に配置して、両駒部(14)(24)の中央孔へヒンジアセンブリ(30′)を嵌入せしめて構成されている。
【０００３】
図１２に示す如く、左側のヒンジ機構(３)のヒンジアセンブリ(30)は、円筒状の第１回転体(31)と円板状の第２回転体(32)とを具え、両回転体(31)(32)の中央部を丸軸状の芯体(36)が貫通しており、これによって両回転体(31)(32)は互いに相対回転可能に連結されている。又、第１回転体(31)の内部には、第１回転体(31)の内周面に相対回転不能に係合する円板状の中間部材(38)が配備されている。又、中間部材(38)と第１回転体(31)の底面との間には、バネ(37)が配備され、該バネ(37)は両回転体(31)(32)の回転軸方向に弾性反発力を発揮し、該弾性反発力によって中間部材(38)は第２回転体(32)に圧接されている。
【０００４】
中間部材(38)には、第２回転体(32)と対向している端面に、図３(ａ)に示す如く第２回転体(32)に向けて突出する一対の凸部(５)(５)が１８０度の位相差で形成されており、各凸部(５)は、第２回転体(32)に接触すべき先端面(51)と、該先端面(51)の両端から両側へ伸びる一対の傾斜面(52)(52)とを有している。
一方、第２回転体(32)には、中間部材(38)との対向面に、前記一対の凸部(５)(５)を収容すべき一対の凹部(53)(53)が形成され、各凹部(53)は、凸部(５)の先端面(51)と接触すべき底面(54)と、該底面(54)の両端から両側へ伸びる一対の傾斜面(55)(55)とを有している。
又、図１２に示す如く、ヒンジアセンブリ(30)の芯体(36)の端部に形成されたフランジ(39)の表面は、ヒンジカバー(49)によって覆われている。
【０００５】
左側のヒンジ機構(３)において、ヒンジアセンブリ(30)の第１回転体(31)は本体キャビネット(１)の第１駒部(13)に対して相対回転が不能であって前記回転軸方向への相対移動が不能に係合しており、本体キャビネット(１)と一体に回転する。
又、第２回転体(32)は蓋体キャビネット(２)の第２駒部(23)に対して相対回転が不能であって前記回転軸方向への相対移動が不能に係合しており、蓋体キャビネット(２)と一体に回転する。
【０００６】
該折り畳み式携帯電話機においては、蓋体キャビネット(２)を閉じた状態では、左側のヒンジ機構(３)を構成するヒンジアセンブリ(30)の中間部材(38)の各凸部(５)が図３(ａ)の如く第２回転体(32)の凹部(53)に収容された状態にある。前記蓋体キャビネット(２)を開くと、該開き操作による回転力によって中間部材(38)の各凸部(５)の傾斜面(52)が第２回転体(32)の凹部(53)の傾斜面(54)上を摺動し、これに伴って前記バネ(37)が弾性収縮し、中間部材(38)の端面が第２回転体(32)の端面から離間する。そして、中間部材(38)の各凸部(５)の傾斜面(52)が第２回転体(32)の凹部(53)の傾斜面(54)を通過すると、中間部材(38)の各凸部(５)の先端面(51)が第２回転体(32)の端面に当接する。
【０００７】
この状態から更に蓋体キャビネット(２)を開くと、中間部材(38)の各凸部(５)の先端面(51)は第２回転体(32)の端面上を摺動して第２回転体(32)の反対側の凹部(53)と対向し、これと同時にバネ(37)が急激に伸張する。この結果、中間部材(38)の各凸部(５)が第２回転体(32)の反対側の凹部(53)に係合し、該係合によって図１１の如く蓋体キャビネット(２)の開き角度が規定されることになる。
【０００８】
このとき、図３(ａ)に示す中間部材(38)の各凸部(５)の先端面(51)は、バネ(37)の弾性復帰力を受けて第２回転体(32)の凹部(53)の底面(55)に衝突し、該衝突によって中間部材(38)及び第２回転体(32)が振動する。該振動は、図１２に示す第１回転体(31)及び両キャビネット(１)(２)の第１及び第２駒部(13)(23)に伝わり、これらの部材の振動によってクリック音が発生することになる。該クリック音によって、ユーザは蓋体キャビネット(２)が全開位置まで開かれたことを認識することが出来る。
これに対し、右側のヒンジ機構(３′)は上述のクリック音発生機構を具えておらず、右側のヒンジ機構(３′)からはクリック音は発生しない。
【特許文献１】特開２０００−２５３１２４号公報[H04M1／02]
【特許文献２】特開２００１−２９８５１６号公報[H04M1／02]
【特許文献３】特開２００１−３２０４６４号公報[H04M1／02]
【発明の開示】
【発明が解決しようとする課題】
【０００９】
しかしながら、図１１に示す従来の折り畳み式携帯電話機においては、両キャビネット(１)(２)を開くと、常に上述のクリック音が発生することとなるので、例えば会議中においてクリック音の発生が第三者に不快感を与える状況であっても、ユーザは意図的にクリック音の発生を抑制することが出来ない問題があった。
そこで本発明の目的は、一対のキャビネットをヒンジ機構を介して互いに開閉可能に連結して構成される折り畳み式携帯端末機において、キャビネットの開閉時に発生するクリック音の発生をユーザが意図的に抑制することが出来る折り畳み式携帯端末機を提供することである。
【課題を解決するための手段】
【００１０】
本発明に係る折り畳み式携帯端末機は、本体キャビネット(１)と蓋体キャビネット(２)をヒンジ機構(３)を介して互いに開閉可能に連結して構成され、該ヒンジ機構(３)は、両キャビネット(１)(２)の端部に突設されて同軸上に並ぶ第１及び第２の駒部(13)(23)と、両駒部(13)(23)を貫通して配備されたヒンジアセンブリ(30)とを具えている。該ヒンジアセンブリ(30)は、同軸上に互いに相対回転可能に配備された第１回転体(31)と第２回転体(32)を具え、第１回転体(31)は第１駒部(13)に対して相対回転不能に係合する一方、第２回転体(32)は第２駒部(23)に対して相対回転不能に係合し、該ヒンジアセンブリ(30)には、両回転体(31)(32)の相対回転に伴って２つの面を互いに衝突させてクリック音を発生させるクリック音発生機構が内蔵されている。
前記ヒンジ機構(３)を構成するヒンジアセンブリ(30)の第１回転体(31)は第１駒部(13)に対して回転軸方向への相対移動が可能に係合する一方、第２回転体(32)は第２駒部(23)に対して回転軸方向への相対移動が不能に係合している。ヒンジア機構(３)には、ユーザによる操作が可能な操作部が設けられると共に、該操作部に対するユーザの操作力を第１回転体(31)に伝えて第１回転体(31)を第２回転体(32)に圧接させるための操作力伝達機構が設けられている。
【００１１】
上記本発明に係る折り畳み式携帯端末機において、ユーザが両キャビネット(１)(２)を開き状態に設定する際に前記操作部を操作しなかった場合には、クリック音発生機構が動作して前記２つの面が互いに衝突し、該衝突によって発生する振動がヒンジアセンブリ(30)の両回転体(31)(32)及び両駒部(13)(23)に伝わり、これら部材の振動に伴ってクリック音が発生する。
【００１２】
一方、ユーザが両キャビネット(１)(２)を開き状態に設定する際に前記操作部を操作した場合は、ユーザの操作力が操作力伝達機構によってヒンジアセンブリ(30)の第１回転体(31)に伝達され、これによって両回転体(31)(32)は互いに前記回転軸方向に圧接されることになる。従って、クリック音発生機構が動作して前記２つの面が互いに衝突し、該衝突によって発生する振動が両回転体(31)(32)に伝わったとしても、両回転体(31)(32)は互いに圧接されて自由な振動が拘束されているため、両回転体(31)(32)及び両駒部(13)(23)の振動は僅かなものとなる。この結果、両キャビネット(１)(２)を開いたときに発生するクリック音は、ユーザが操作部を操作しなかったときのクリック音と比べて著しく小さなものとなる。
【００１３】
具体的構成において、前記操作部は、第１回転体(31)の第２回転体(32)とは反対側の端部を覆うヒンジカバー(41)によって形成され、該ヒンジカバー(41)は、ヒンジ機構(３)の回転軸に沿って往復移動自由に配備され、前記操作力伝達機構はヒンジカバー(41)の背面を第１回転体(31)に連結して構成され、ヒンジカバー(41)に対する前記回転軸方向の押圧操作力を第１回転体(31)に伝えるものである。
【００１４】
該具体的構成においては、ユーザがヒンジカバー(41)を指先で押圧する操作を行なうと、該押圧操作力が第１回転体(31)に伝達される。この結果、両回転体(31)(32)は互いに前記回転軸方向に圧接され、これによって両回転体(31)(32)の自由な振動が拘束され、クリック音の発生が抑制されることになる。
ユーザがヒンジカバー(41)から指先を離すと、第１回転体(31)を第２回転体(32)に向けて押圧する力が解除され、両回転体(31)(32)は自由な振動が可能となり、両回転体(31)(32)及び両駒部(13)(23)の振動によってクリック音が発生することになる。
【００１５】
又、他の具体的構成において、前記操作部は、第１回転体(31)の第２回転体(32)とは反対側の端部を覆うヒンジカバー(43)によって形成され、該ヒンジカバー(43)は、ヒンジ機構(３)の回転軸と同軸上にて回転自由に配備され、前記操作力伝達機構は、前記回転軸を中心軸としてヒンジカバー(43)に形成された外ネジ(44)と、前記第１の駒部(13)に形成されて前記外ネジ(44)に螺合する内ネジ(101)とを具え、ヒンジカバー(43)の回転操作に伴うネジ推力を第１回転体(31)に伝えるものである。
【００１６】
該具体的構成においては、ユーザがヒンジカバー(43)を捩じ込み方向に回転操作すると、ヒンジカバー(43)の外ネジ(44)が第１駒部の内ネジ(101)に捩じ込まれ、これによって発生するネジ推力により、第１回転体(31)が第２回転体(32)に向けて押圧される。この結果、両回転体(31)(32)が互いに前記回転軸方向に圧接され、これによって両回転体(31)(32)の自由な振動が拘束され、クリック音の発生が抑制されることになる。
逆にユーザがヒンジカバー(43)を捩じ戻し方向に回転操作すると、ネジ推力が逆向きに発生して、第１回転体(31)を第２回転体(32)に向けて押圧する力が解除され、両回転体(31)(32)は自由な振動が可能となり、両回転体(31)(32)及び両駒部(13)(23)の振動によってクリック音が発生することになる。
【００１７】
又、他の具体的構成において、前記操作部は、第１回転体(31)の第２回転体(32)とは反対側の端部を覆うヒンジカバー(45)によって形成され、該ヒンジカバー(45)は、ヒンジ機構(３)の回転軸と交差する方向へスライド自由に配備され、前記操作力伝達機構は、前記ヒンジカバー(45)の裏面に形成されたカム面(411)と、前記回転軸に沿って往復移動自由に配備されて前記カム面(411)に摺接するカムフォロワー(410)とを具え、ヒンジカバー(45)のカム面(411)は、ヒンジカバー(45)のスライド操作に伴ってカムフォロワー(410)を第１回転体(31)に対して接近離間させるカム曲線を有し、該カムフォロワー(410)の駆動力が第１回転体(31)に伝えられる。
【００１８】
該具体的構成においては、ユーザがヒンジカバー(45)を一方向にスライドさせると、これに伴ってヒンジカバー(45)のカム面(411)が変位し、該カム面(411)によってカムフォロワー(410)が第１回転体(31)に接近する方向に駆動され、該駆動力が第１回転体(31)に伝えられる。この結果、両回転体(31)(32)が互いに前記回転軸方向に圧接され、これによって両回転体(31)(32)の自由な振動が拘束され、クリック音の発生が抑制されることになる。
【００１９】
ユーザがヒンジカバー(45)を逆方向にスライドさせると、ヒンジカバー(45)のカム面(411)が逆方向に変位し、カムフォロワー(410)に対する駆動力が解除されて、両回転体(31)(32)は自由な振動が可能となり、両回転体(31)(32)及び両駒部(13)(23)の振動によってクリック音が発生することになる。
【００２０】
更に具体的な構成において、ヒンジ機構(３)には、前記操作部に対するユーザの操作力を受けてオンとなるスイッチ(６)が配備され、該スイッチ(６)は、両キャビネット(１)(２)の開き動作に連動して電子音を発するための電子音発生回路に接続され、該スイッチ(６)のオンによって電子音発生回路の電子音発生動作が強制的に停止される。
該具体的構成において、両キャビネット(１)(２)を開き状態に設定する際に前記操作部を操作した場合、前述の如くクリック音発生機構によるクリック音の発生を抑制することが出来ると共に、前記スイッチ(６)がオンになって電子音発生回路による電子音の発生を強制的に停止させることが出来る。
【発明の効果】
【００２１】
本発明に係る折り畳み式携帯端末機によれば、両キャビネットの開閉操作時にユーザが操作部を操作することにより、両キャビネットの開閉に伴うクリック音の発生を意図的に抑制することが出来る。
【発明を実施するための最良の形態】
【００２２】
以下、本発明を折り畳み式携帯電話機に実施した形態につき、図面に沿って具体的に説明する。
第１実施例
本実施例に係る折り畳み式携帯電話機においては、図１に示す如く、本体キャビネット(１)と蓋体キャビネット(２)の連結部に、左右一対のヒンジ機構(３)(３′)が配備されており、両ヒンジ機構(３)(３′)の回転軸を中心として蓋体キャビネット(２)を開閉することが可能である。本体キャビネット(１)の表面には複数の操作キー(11)が配備されると共に、該操作キー(11)の下方には送話部(12)が設けられている。又、蓋体キャビネット(２)の表面にはディスプレイ(21)が配備されると共に、該ディスプレイ(21)の上方には受話部(22)が設けられている。
【００２３】
図２に示す如く、左側のヒンジ機構(３)は、本体キャビネット(１)に突設した第１駒部(13)と蓋体キャビネット(２)に突設した第２駒部(23)とを同軸上に配置して、両駒部(13)(23)の中央孔へヒンジアセンブリ(30)を嵌入せしめて構成されている。右側のヒンジ機構(３′)も同様に、本体キャビネット(１)に突設した第３駒部(14)と蓋体キャビネット(２)に突設した第４駒部(24)とを同軸上に配置して、両駒部(14)(24)の中央孔へヒンジアセンブリ(30′)を嵌入せしめて構成されている。又、回転軸の両端となる一対のヒンジアセンブリ(30)(30′)の端部には、一対のヒンジカバー(41)(42)が取り付けられている。
【００２４】
左側のヒンジ機構(３)のヒンジアセンブリ(30)は、図３(ｂ)及び図４に示す如く、円弧面と平面からなる外周面を有する円筒状の第１回転体(31)と、円弧面と平面からなる外周面を有する円板状の第２回転体(32)とを具え、該第２回転体(32)は第１回転体(31)の端面に当接してその開口を塞いでいる。又、該両回転体(31)(32)の中央部を丸軸状の芯体(36)が貫通しており、これによって両回転体(31)(32)は互いに相対回転可能に連結されている。
又、第１回転体(31)の第２回転体(32)とは反対側の端部は、前記芯体(36)の端部に形成されたフランジ(39)と対向しており、その対向面間には樹脂部材(311)が介在している。又、第２回転体(32)の第１回転体(31)とは反対側の端部には、一対のフック(310)(310)が突設されている。
【００２５】
図４に示す如く、第１回転体(31)の内部には、第１回転体(31)の内周面に相対回転不能に係合する円板状の中間部材(38)が配備されている。中間部材(38)の中央部には、前記芯体(36)が貫通しており、これによって中間部材(38)は両回転体(31)(32)の回転軸方向に摺動することが可能である。又、中間部材(38)と第１回転体(31)の底面との間には、前記芯体(36)の外周面を包囲して、コイル状のバネ(37)が配備されている。該バネ(37)は、両回転体(31)(32)の回転軸方向に弾性反発力を発揮し、該弾性反発力によって中間部材(38)が第２回転体(32)に圧接されている。
【００２６】
中間部材(38)には、第２回転体(32)と対向している端面に、図３(ａ)に示す如く第２回転体(32)に向けて突出する一対の凸部(５)(５)が１８０度の位相差で形成されており、各凸部(５)は、第２回転体(32)に接触すべき先端面(51)と、該先端面(51)の両端から両側へ伸びる一対の傾斜面(52)(52)とを有している。
一方、第２回転体(32)には、中間部材(38)との対向面に、前記一対の凸部(５)(５)を収容すべき一対の凹部(53)(53)が形成され、各凹部(53)は、凸部(５)の先端面(51)と接触すべき底面(54)と、該底面(54)の両端から両側へ伸びる一対の傾斜面(55)(55)とを有している。
【００２７】
図４に示す如く、左側のヒンジ機構(３)において、本体キャビネット(１)の第１駒部(13)に開設された中央孔の前記回転軸に垂直な断面の形状は、ヒンジアセンブリ(30)の第１回転体(31)の前記回転軸に垂直な断面の形状よりも僅かに大きく形成されており、これによって、第１回転体(31)の外周面は、本体キャビネット(１)の第１駒部(13)の内周面との間に僅かな空隙を有して該内周面と係合している。ここで第１回転体(31)の外周面は、図３(ｂ)に示す如く一対の円弧面及び平面によって形成されているため、第１回転体(31)は図４の如く第１駒部(13)に対して相対回転不能に係合しており、本体キャビネット(１)と一体に回転する。第１回転体(31)の外周面と第１駒部(13)の内周面との間には空隙が設けられているため、第１回転体(31)は第１駒部(13)に対して前記回転軸方向の相対移動が可能となっている。
【００２８】
又、本体キャビネット(１)の第１駒部(13)には、前記芯体(36)のフランジ(39)の表面を覆うヒンジカバー(41)が収容されており、該ヒンジカバー(41)の表面は本体キャビネット(１)の側部から突出している。又、該ヒンジカバー(41)の背面にはフック部(41a)が突設され、該フック部(41a)はフランジ(39)の端部と遊びを有して係合しており、これによって、ヒンジカバー(41)はヒンジアセンブリ(30)に対して前記回転軸方向の相対移動が可能となっている。
【００２９】
蓋体キャビネット(２)の第２駒部(23)に開設された中央孔の前記回転軸に垂直な断面の形状は、ヒンジアセンブリ(30)の第２回転体(32)の前記回転軸に垂直な断面の形状と同一若しくは僅かに小さく形成されている。第２回転体(32)の外周面は、図３(ｂ)に示す如く一対の円弧面及び平面によって形成されており、該外周面が蓋体キャビネット(２)の第２駒部(23)の内周面に圧着することにより、第２回転体(32)は蓋体キャビネット(２)の第２駒部(23)に対して相対回転不能に係合しており、蓋体キャビネット(２)と一体に回転する。
又、第２回転体(32)の一対のフック(310)(310)は、蓋体キャビネット(２)の第２駒部(23)の一対の突片(28)(28)とそれぞれ係合しており、これによって第２回転体(32)は蓋体キャビネット(２)の第２駒部(23)に対して前記回転軸方向の相対移動が不能となっている。
【００３０】
又、右側のヒンジ機構(３′)のヒンジアセンブリ(30′)は、図５に示す如く、円筒状の第１回転体(31)と円板状の第２回転体(32)とを具え、両回転体(31)(32)の中央部を丸軸状の芯体(36)が貫通しており、これによって両回転体(31)(32)は互いに相対回転可能に連結されている。又、第１回転体(31)の第２回転体(32)とは反対側の端部は、前記芯体(36)の端部に形成されたフランジ(39)と対向しており、その対向面間には樹脂部材(311)が介在している。又、第２回転体(32)の第１回転体(31)とは反対側の端部には、一対のフック(310)(310)が突設されている。
【００３１】
右側のヒンジ機構(３′)においては、ヒンジアセンブリ(30′)の第１回転体(31)が本体キャビネット(１)の第３駒部(14)に対して相対回転が不能であって前記回転軸方向への相対移動が不能に係合しており、本体キャビネット(１)と一体に回転する。
又、第２回転体(32)も同様に、蓋体キャビネット(２)の第４駒部(24)に対して相対回転が不能であって前記回転軸方向への相対移動が不能に係合しており、蓋体キャビネット(２)と一体に回転する。
【００３２】
上記本実施例の折り畳み式携帯電話機においては、蓋体キャビネット(２)を閉じた状態では、図３(ａ)に示す如く、左側のヒンジ機構(３)を構成するヒンジアセンブリ(30)の中間部材(38)の各凸部(５)が第２回転体(32)の凹部(53)に収容された状態にある。蓋体キャビネット(２)を開くと、該開き操作によって中間部材(38)は前記第１回転体(31)と一体に回転し、その回転力によって中間部材(38)の各凸部(５)の傾斜面(52)が第２回転体(32)の凹部(53)の傾斜面(54)上を摺動し、これに伴って前記バネ(37)が弾性収縮し、中間部材(38)の端面が第２回転体(32)の端面から離間する。そして、中間部材(38)の各凸部(５)の傾斜面(52)が第２回転体(32)の凹部(53)の傾斜面(54)を通過すると、中間部材(38)の各凸部(５)の先端面(51)が第２回転体(32)の端面に当接する。
【００３３】
更に蓋体キャビネット(２)を開くと、中間部材(38)の各凸部(５)の先端面(51)は第２回転体(32)の端面上を摺動して、第２回転体(32)の反対側の凹部(53)と対向し、これと同時にバネ(37)が急激に伸張する。この結果、中間部材(38)の各凸部(５)が第２回転体(32)の反対側の凹部(53)に係合し、これによって、図１の如く蓋体キャビネット(２)の開き角度が規定されることになる。
【００３４】
このとき、図３(ａ)に示す中間部材(38)の各凸部(５)の先端面(51)は、前記バネ(37)の弾性復帰力を受けて第２回転体(32)の凹部(53)の底面(55)に衝突し、該衝突によって中間部材(38)及び第２回転体(32)が振動する。該振動は、図４に示す第１回転体(31)及び両キャビネット(１)(２)の第１及び第２駒部(13)(23)に伝わり、これらの部材の振動によってクリック音が発生することになる。該クリック音によって、ユーザは蓋体キャビネット(２)が全開位置まで開かれたことを認識することが出来る。
これに対し、右側のヒンジ機構(３′)は、図５に示す如く、上述のクリック音発生機構を具えておらず、右側のヒンジ機構(３′)からはクリック音は発生しない。
【００３５】
上記本実施例の折り畳み式携帯電話機において、両キャビネット(１)(２)を開き状態に設定するときにクリック音の発生を抑制する場合、ユーザは、蓋体キャビネット(２)が全開位置まで開く直前に、図４に示すヒンジカバー(41)を押圧操作する。ユーザのヒンジカバー(41)に対する押圧操作力は、ヒンジカバー(41)、フランジ(39)及び樹脂部材(311)を介して第１回転体(31)に伝達され、これによって第１回転体(31)は第２回転体(32)に圧接されることになる。
【００３６】
第２回転体(32)は、各フック(310)と蓋体キャビネット(２)の第２駒部(23)の突片(28)との係合によって、前記回転軸方向に移動不能に第２駒部(23)に保持されているので、ユーザの押圧操作力は第１回転体(31)と当接している第２回転体(32)の端面によって受け止められることになる。この結果、両回転体(31)(32)は前記回転軸方向に互いに圧接された状態となる。従って、前記衝突によって発生する振動が両回転体(31)(32)に伝わったとしても、両回転体(31)(32)は互いに圧接されて自由な振動が拘束されているため、両回転体(31)(32)及び両駒部(13)(23)の振動は僅かなものとなる。この結果、両キャビネット(１)(２)を開いたときに発生するクリック音は、ユーザがヒンジカバー(41)を押圧しなかったときのクリック音と比べて著しく小さなものとなり、クリック音が周囲の第三者に聞こえることはない。
【００３７】
又、蓋体キャビネット(２)を全開状態から閉じる場合にも同様に、蓋体キャビネット(２)が全閉位置まで閉じる直前に、ヒンジカバー(41)を押圧操作する。この結果、両回転体(31)(32)は互いに前記回転軸方向に圧接され、これによって両回転体(31)(32)の自由な振動が拘束され、クリック音の発生が抑制されることになる。
【００３８】
又、上記本実施例の折り畳み式携帯電話機においては、ヒンジカバー(41)の表面が本体キャビネット(１)の側部から突出しているので、ヒンジカバー(41)をヒンジアセンブリ(30)に向けて押圧する操作を容易に行なうことが出来る。
【００３９】
上述の如く本実施例の折り畳み式携帯電話機によれば、ユーザは周囲の状況に応じてヒンジカバー(41)を押圧操作することにより、両キャビネット(１)(２)の開閉操作時のクリック音の発生を意図的に抑制することが出来る。
【００４０】
第２実施例
図６及び図７に示す本実施例の携帯電話機は、一対のヒンジ機構(3a)(３′)の内、左側のヒンジ機構(3a)の構造において上記第１実施例と異なるが、他の構造は第１実施例と同じであるので、左側のヒンジ機構(3a)の構造についてのみ説明し、他の構造については同じ符号を付して説明を省略する。
【００４１】
図６及び図７に示す如く、本実施例の左側のヒンジ機構(3a)は、本体キャビネット(１)に突設した第１駒部(13)と蓋体キャビネット(２)に突設した第２駒部(23)とを同軸上に配置して、両駒部(13)(23)の中央孔へヒンジアセンブリ(30)を嵌入せしめて構成されており、該ヒンジアセンブリ(30)の芯体(36)のフランジ(39)の表面は、円筒状のスライドカバー(43)によって覆われている。
【００４２】
該スライドカバー(43)は、本体キャビネット(１)の第１駒部(13)の内部に、ヒンジ機構(3a)の回転軸と同軸に配備されており、スライドカバー(43)の外周面には外ネジ(44)が形成されている。一方、第１駒部(13)の内周面には、スライドカバー(43)の外ネジ(44)と螺合する内ネジ(101)が形成されており、これによってスライドカバー(43)を第１駒部(13)の内部へ捩じ込むことが可能である。
【００４３】
上記本実施例の折り畳み式携帯電話機において、両キャビネット(１)(２)を開くときのクリック音の発生を抑制する場合、ユーザは、蓋体キャビネット(２)が全開位置まで開く直前に、ヒンジカバー(43)を捩じ込み方向に回転させる。これによって、ヒンジカバー(43)は第１駒部(13)の内部へ向けて捩じ込まれ、第１駒部(13)の内ネジ(101)とヒンジカバー(43)の外ネジ(44)の螺合によって発生するネジ推力が、ヒンジアセンブリ(30)のフランジ(39)及び樹脂部材(311)を介して第１回転体(31)に伝えられ、これによって第１回転体(31)は第２回転体(32)に向けて押圧される。
【００４４】
第２回転体(32)は、各フック(310)と蓋体キャビネット(２)の第２駒部(23)の突片(28)との係合によって、前記回転軸方向に移動不能に第２駒部(23)に保持されているので、上記第１回転体(31)を押圧する力は、第１回転体(31)と当接している第２回転体(32)の端面によって受け止められることになる。この結果、両回転体(31)(32)は前記回転軸方向に互いに圧接された状態となるので、ヒンジアセンブリ(30)の中間部材(38)と第２回転体(32)の衝突によって発生する振動が両回転体(31)(32)に伝わったとしても、両回転体(31)(32)は互いに圧接されて自由な振動が拘束されているため、両回転体(31)(32)及び両駒部(13)(23)の振動は僅かなものとなる。従って、両キャビネット(１)(２)の開閉操作時に発生するクリック音は著しく小さなものとなり、クリック音が周囲の第三者に聞こえることはない。
【００４５】
その後の両キャビネット(１)(２)の開閉操作に伴ってクリック音を発生させる場合、ユーザは、ヒンジカバー(43)を捩じ戻し方向に回転させる。これによって、ヒンジカバー(43)にはヒンジカバー(43)を捩じ込んだときのネジ推力とは逆向きのネジ推力が発生し、第１回転体(31)を第２回転体(32)に向けて押圧する力は解除され、両回転体(31)(32)は自由な振動が可能となる。この結果、中間部材(38)と第２回転体(32)の衝突による振動が両回転体(31)(32)及び両駒部(13)(23)に伝えられ、これらの部材の振動に伴ってクリック音が発生することになる。
【００４６】
上記本実施例の折り畳み式携帯電話機によれば、ヒンジカバー(43)を回転させる容易な操作で、両キャビネット(１)(２)の開閉操作時のクリック音の発生を抑制することが出来る。
【００４７】
第３実施例
図８及び図９に示す本実施例の携帯電話機は、一対のヒンジ機構の内、左側のヒンジ機構(3b)の構造において上記第１実施例と異なるが、他の構造は第１実施例と同じであるので、左側のヒンジ機構(3b)の構造についてのみ説明し、他の構造については同じ符号を付して説明を省略する。
【００４８】
図８及び図９に示す如く、本実施例の左側のヒンジ機構(3b)は、本体キャビネット(１)に突設した第１駒部(13)と蓋体キャビネット(２)に突設した第２駒部(23)とを同軸上に配置して、両駒部(13)(23)の中央孔へヒンジアセンブリ(30)を嵌入せしめて構成されており、該ヒンジアセンブリ(30)の芯体(36)のフランジ(39)の表面は、本体キャビネット(１)の第１駒部(13)の側面にスライド可能に取り付けられたヒンジカバー(45)によって覆われている。
【００４９】
該ヒンジカバー(45)は、本体キャビネット(１)の第１駒部(13)の側面に凹設されたヒンジカバー収容室(19)に収容され、該ヒンジカバー収容室(19)の側壁とスライド可能に係合しており、ヒンジカバー(45)の裏面にはカム面(411)が形成されている。該カム面(411)には扁平なカムフォロワー(412)が摺接しており、該カムフォロワー(412)は、ヒンジ機構(3b)の回転軸方向の往復移動が可能であって且つ該回転軸とは直交する方向の往復移動が不能にヒンジカバー(45)とフランジ(39)の間に保持されている。
又、カム面(411)は、カム曲線の低位部となる第１平坦面(411a)と、カムフォロワー(412)を前記回転軸方向に駆動する傾斜面(411b)と、カム曲線の高位部となる第２平坦面(411c)とから構成されている。
【００５０】
上記本実施例の折り畳み式携帯電話機において、両キャビネット(１)(２)を開くときのクリック音の発生を抑制する場合、ユーザは、蓋体キャビネット(２)が全開位置まで開く直前に、ヒンジカバー(45)を図８に示す矢印の方向にスライドさせる。これに伴って図９に示すヒンジカバー(45)のカム面(411)が変位し、カムフォロワー(412)はカム面(411)の第１平坦面(411a)から傾斜面(411b)を経て第２平坦面(411c)との摺接状態に移行し、この過程で第１回転体(31)側へ駆動されることになる。
この様にして、ヒンジカバー(45)をスライドさせる操作力はカムフォロワー(412)をヒンジアセンブリ(30)側へ押圧する力に変換され、該押圧力はフランジ(39)及び樹脂部材(311)を介して第１回転体(31)に伝えられる。
【００５１】
第２回転体(32)は、各フック(310)と蓋体キャビネット(２)の第２駒部(23)の突片(28)との係合によって、前記回転軸方向に移動不能に第２駒部(23)に保持されているので、上記押圧力は、第１回転体(31)と当接している第２回転体(32)の端面によって受け止められることになる。この結果、両回転体(31)(32)は前記回転軸方向に互いに圧接された状態となるので、両回転体(31)(32)の自由な振動が拘束され、クリック音の発生が抑制されることになる。
【００５２】
その後の両キャビネット(１)(２)の開閉操作に伴ってクリック音を発生させる場合、ユーザは、ヒンジカバー(45)を図８に示す矢印とは反対の方向にスライドさせる。これに伴って、ヒンジカバー(45)のカム面(411)が変位して、カムフォロワー(412)はカム面(411)の第２平坦面(411c)から傾斜面(411b)を経て第１平坦面(411a)と摺接状態に移行する。この過程で、カムフォロワー(412)がヒンジアセンブリ(30)から離間する方向に駆動されるため、カムフォロワー(412)をヒンジアセンブリ(30)に向けて押圧する力は解除される。この結果、第１回転体(31)を第２回転体(32)に向けて押圧する力は解除され、両回転体(31)(32)は自由な振動が可能となり、両回転体(31)(32)及び両駒部(13)(23)の振動によってクリック音が発生することになる。
【００５３】
上記本実施例の折り畳み式携帯電話機によれば、ヒンジカバー(45)をスライドさせる容易な操作で、両キャビネット(１)(２)の開閉操作時のクリック音の発生を抑制することが出来る。
【００５４】
第４実施例
図１０に示す本実施例の携帯電話機は、一対のヒンジ機構の内、左側のヒンジ機構(3c)の構造において上記第１実施例と異なるが、他の構造は第１実施例と同じであるので、左側のヒンジ機構(3c)の構造についてのみ説明し、他の構造については同じ符号を付して説明を省略する。
【００５５】
図１０に示す如く、本実施例の左側のヒンジ機構(3c)は、本体キャビネット(１)に突設した第１駒部(13)と蓋体キャビネット(２)に突設した第２駒部(23)とを同軸上に配置して、両駒部(13)(23)の中央孔へヒンジアセンブリ(30)を嵌入せしめて構成されている。
又、本体キャビネット(１)の第１駒部(13)には、ヒンジアセンブリ(30)の芯体(36)のフランジ(39)の表面を覆うヒンジカバー(46)が収容されている。該ヒンジカバー(46)の背面にはフック部(46a)が突設されており、該フック部(46a)はフランジ(39)の端部と遊びを有して係合している。これによって、ヒンジカバー(46)はヒンジアセンブリ(30)に対してヒンジ機構(3c)の回転軸方向の相対移動が可能となっている。
【００５６】
又、該ヒンジカバー(46)には、前記回転軸方向に押圧操作可能な操作釦(47)が配備されており、該操作釦(47)の裏面に形成された押し子(47a)と対向する位置には、操作釦(47)に対する押圧操作力を受けてオンとなるスイッチ(６)が配備されており、該スイッチ(６)は、信号線(61)を介して本体キャビネット(１)に内蔵された電子音発生回路(図示省略)に接続されている。該電子音発生回路は、蓋体キャビネット(２)の開き動作に連動して電子音を発生させるものであり、前記スイッチ(６)がオンとなることによって電子音発生回路に対して電子音発生動作の停止が指令される。
【００５７】
本実施例の折り畳み式携帯電話機においては、ユーザは、蓋体キャビネット(２)が全開位置まで開く直前にヒンジカバー(46)の操作釦(47)を前記回転軸方向に押圧操作することにより、前述の如くヒンジアセンブリ(30)の中間部材(38)と第２回転体(32)の衝突によるクリック音の発生が抑制されると共に、操作釦(47)の押し子(47a)が前記スイッチ(６)を押圧して接点が閉じられ、これによってスイッチ(６)がオンとなって電子音発生回路による電子音の発生が強制的に停止される。
【図面の簡単な説明】
【００５８】
【図１】本発明の第１実施例の折り畳み式携帯電話機を示す斜視図である。
【図２】該折り畳み式携帯電話機の一対のヒンジ機構を示す断面図である。
【図３（ａ）】左側のヒンジ機構のヒンジアセンブリを示す平面図である。
【図３（ｂ）】該ヒンジアセンブリを示す正面図である。
【図４】左側のヒンジ機構を示す断面図である。
【図５】右側のヒンジ機構を示す断面図である。
【図６】本発明の第２実施例の折り畳み式携帯電話機を示す斜視図である。
【図７】該折り畳み式携帯電話機の左側のヒンジ機構を示す断面図である。
【図８】本発明の第３実施例の折り畳み式携帯電話機の左側のヒンジ機構を示す側面図である。
【図９】該ヒンジ機構を示す断面図である。
【図１０】本発明の第４実施例の折り畳み式携帯電話機の左側のヒンジ機構を示す断面図である。
【図１１】従来の折り畳み式携帯電話機を示す斜視図である。
【図１２】該折り畳み式携帯電話機の左側のヒンジ機構を示す断面図である。
【符号の説明】
【００５９】
(１)  本体キャビネット
(13)  第１駒部
(14)  第３駒部
(101) 内ネジ
(２)  蓋体キャビネット
(23)  第２駒部
(24)  第４駒部
(３)  ヒンジ機構
(30)  ヒンジアセンブリ
(31)  第１回転体
(32)  第２回転体
(37)  バネ
(38)  中間部材
(41)  ヒンジカバー
(43)  ヒンジカバー
(44)  外ネジ
(45)  ヒンジカバー
(46)  ヒンジカバー
(47)  操作釦
(411) カム面
(412) カムフォロワー
(５)  凸部
(53)  凹部
(６)  スイッチ
【図１】
2005061470.tif 000003
【図２】
2005061470.tif 000004
【図３（ａ）】
2005061470.tif 000005
【図３（ｂ）】
2005061470.tif 000006
【図４】
2005061470.tif 000007
【図５】
2005061470.tif 000008
【図６】
2005061470.tif 000009
【図７】
2005061470.tif 000010
【図８】
2005061470.tif 000011
【図９】
2005061470.tif 000012
【図１０】
2005061470.tif 000013
【図１１】
2005061470.tif 000014
【図１２】
2005061470.tif 000015